(57)【要約】【課題】データ記憶に要する時間を短縮する。【解決手段】撮影モードで撮影を行うと、撮影したＲＡＷ画像データは、バッファメモリに一時的に記憶される。画像信号処理回路で、ＲＡＷ画像データに対して画像補正処理及び画素変換処理を施すと、得られた本画像データは、バッファメモリに一時的に記憶される。本画像データは、縮小処理部と画像連結処理部とに送られる。縮小処理部は、入力された本画像データを縮小処理してサムネイル画像データを生成する。サムネイル画像データは、バックアップ用画像データとしてバックアップメモリに記憶された後、画像連結処理部に送られる。画像連結処理部で、本画像データとサムネイル画像データとを連結して連結画像ファイルを生成すると、連結画像ファイルは、メモリカードに記憶される。【選択図】図２
2009225212.tif 000002
【特許請求の範囲】
【請求項１】
被写体像を光電変換して撮影画像データを取得する撮像手段と、
前記撮影画像データのバックアップ用画像データを記憶するバックアップ用記憶手段と、
前記バックアップ用記憶手段から送られる前記バックアップ用画像データに対してデータ処理を行うデータ処理手段と、
前記データ処理手段でデータ処理された画像データを記憶するメイン記憶手段と、を備えることを特徴とする撮影装置。
【請求項２】
前記撮影画像データからサムネイル画像データを生成するサムネイル画像データ生成手段を備え、
前記バックアップ用記憶手段は、前記バックアップ用画像データとして前記サムネイル画像データを記憶し、
前記データ処理手段は、前記バックアップ用記憶手段から送られる前記サムネイル画像データと前記撮影画像データとの連結処理を行うことを特徴とする請求項１記載の撮影装置。
【請求項３】
前記撮像手段が設けられた装置本体の姿勢を検出する姿勢検出手段と、
前記撮影画像データに、前記姿勢検出手段で検出された検出姿勢データを付加して画像ファイルを生成する画像ファイル生成手段と、を備え、
前記バックアップ用記憶手段は、前記バックアップ用画像データとして前記画像ファイルを記憶し、
前記データ処理手段は、前記検出姿勢データに基づいて、前記バックアップ用記憶手段から送られる前記画像ファイル内の撮影画像データに回転補正処理を行うことを特徴とする請求項１記載の撮影装置。
【請求項４】
前記バックアップ用記憶手段は、前記バックアップ用画像データとして前記撮影画像データを記憶し、
前記データ処理手段は、前記バックアップ用記憶手段から送られる前記撮影画像データに圧縮処理を行うことを特徴とする請求項１記載の撮影装置。
【請求項５】
撮影時の手振れ状態を検出するジャイロセンサを備え、
前記バックアップ用記憶手段は、前記バックアップ用画像データとして前記撮影画像データを記憶し、
前記データ処理手段は、前記ジャイロセンサの検出結果に基づいて、前記バックアップ用記憶手段から送られる前記撮影画像データに手振れ補正処理を行うことを特徴とする請求項１記載の撮影装置。
【請求項６】
前記バックアップ用記憶手段は、前記バックアップ用画像データとして前記撮影画像データを記憶し、
前記データ処理手段は、前記バックアップ用記憶手段から送られる前記撮影画像データに赤目補正処理を行うことを特徴とする請求項１記載の撮影装置。
【請求項７】
被写体像を光電変換して取得した撮影画像データのバックアップ用画像データを、バックアップ用記憶手段に記憶し、
前記バックアップ用記憶手段から送られる前記バックアップ用画像データに対してデータ処理手段でデータ処理を行い、
前記データ処理手段でデータ処理された画像データをメイン記憶手段に記憶することを特徴とする画像記憶方法。
【発明の詳細な説明】
【技術分野】
【０００１】
本発明は、撮影装置及び画像記憶方法に関するものである。
【背景技術】
【０００２】
デジタルカメラは、ＣＣＤ等の撮像素子を有する撮像手段で得られた撮影画像データに信号処理を行い、本画像データを生成する。そして、本画像データを、着脱自在なメモリカード等のメモリに記憶する。メモリカードに記憶した本画像データをＬＣＤ等で表示させることにより、撮影画像を印刷することなく、今までに撮影した撮影画像を見ることができる。
【０００３】
メモリカードの記憶容量は増加しており、多量の本画像データを記憶することができる。その一方で、メモリカードが破損した場合には、今までに撮影して記憶した本画像データが全て失われてしまう。このため、本画像データのバックアップとして、メモリカードとは別のバックアップ用メモリに、本画像データを記憶する技術が提案されている（例えば、特許文献１参照）。
【０００４】
特許文献１では、撮影画像データを取得する撮像手段と３個のメモリとを備え、これら３個のメモリに、それぞれ圧縮率を変えた本画像データを記憶するデジタルカメラが提案されている。
【特許文献１】特開２００３−１３４３６８号公報
【発明の開示】
【発明が解決しようとする課題】
【０００５】
しかしながら、特許文献１では、本画像データを３個のメモリに記憶しているため、データ記憶に要する時間が長くなるという問題があった。データを記憶している間は、撮影を行うことができないため、データ記憶に要する時間が長くなると、連続して撮影を行うことができない。
【０００６】
本発明は、上記課題を解決するためになされたものであり、データ記憶に要する時間を短縮することができる撮影装置及び画像記憶方法を提供することを目的とする。
【課題を解決するための手段】
【０００７】
上記目的を達成するために、本発明の撮影装置は、被写体像を光電変換して撮影画像データを取得する撮像手段と、前記撮影画像データのバックアップ用画像データを記憶するバックアップ用記憶手段と、前記バックアップ用記憶手段から送られる前記バックアップ用画像データに対してデータ処理を行うデータ処理手段と、前記データ処理手段でデータ処理された画像データを記憶するメイン記憶手段と、を備えることを特徴とする。なお、前記撮影装置としては、デジタルカメラ、携帯電話等が挙げられる。
【０００８】
また、前記撮影画像データからサムネイル画像データを生成するサムネイル画像データ生成手段を備え、前記バックアップ用記憶手段は、前記バックアップ用画像データとして前記サムネイル画像データを記憶し、前記データ処理手段は、前記バックアップ用記憶手段から送られる前記サムネイル画像データと前記撮影画像データとの連結処理を行うことが好ましい。なお、前記メイン記憶手段には、連結処理された前記サムネイル画像データ及び撮影画像データが記憶される。
【０００９】
さらに、前記撮像手段が設けられた装置本体の姿勢を検出する姿勢検出手段と、前記撮影画像データに、前記姿勢検出手段で検出された検出姿勢データを付加して画像ファイルを生成する画像ファイル生成手段と、を備え、前記バックアップ用記憶手段は、前記バックアップ用画像データとして前記画像ファイルを記憶し、前記データ処理手段は、前記検出姿勢データに基づいて、前記バックアップ用記憶手段から送られる前記画像ファイル内の撮影画像データに回転補正処理を行うことが好ましい。なお、前記メイン記憶手段には、回転補正処理された前記撮影画像データが記憶される。
【００１０】
また、前記バックアップ用記憶手段は、前記バックアップ用画像データとして前記撮影画像データを記憶し、前記データ処理手段は、前記バックアップ用記憶手段から送られる前記撮影画像データに圧縮処理を行うことが好ましい。なお、前記メイン記憶手段には、圧縮処理された前記撮影画像データが記憶される。
【００１１】
さらに、撮影時の手振れ状態を検出するジャイロセンサを備え、前記バックアップ用記憶手段は、前記バックアップ用画像データとして前記撮影画像データを記憶し、前記データ処理手段は、前記ジャイロセンサの検出結果に基づいて、前記バックアップ用記憶手段から送られる前記撮影画像データに手振れ補正処理を行うことが好ましい。なお、前記メイン記憶手段には、手振れ補正処理された前記撮影画像データが記憶される。
【００１２】
また、前記バックアップ用記憶手段は、前記バックアップ用画像データとして前記撮影画像データを記憶し、前記データ処理手段は、前記バックアップ用記憶手段から送られる前記撮影画像データに赤目補正処理を行うことが好ましい。なお、前記メイン記憶手段には、赤目補正処理された前記撮影画像データが記憶される。
【００１３】
さらに、本発明の画像記憶方法は、被写体像を光電変換して取得した撮影画像データのバックアップ用画像データを、バックアップ用記憶手段に記憶し、前記バックアップ用記憶手段から送られる前記バックアップ用画像データに対してデータ処理手段でデータ処理を行い、前記データ処理手段でデータ処理された画像データをメイン記憶手段に記憶することを特徴とする。
【発明の効果】
【００１４】
本発明によれば、バックアップ用画像データをバックアップ用記憶手段に記憶した後に、バックアップ用記憶手段から送られるバックアップ用画像データに対してデータ処理を行い、データ処理された画像データをメイン記憶手段に記憶するから、全ての画像処理を行った後に、画像データを複数の記憶手段に記憶するものに比べて、データ記憶に要する時間を短縮することができる。
【発明を実施するための最良の形態】
【００１５】
［第１実施形態］
図１に示すように、本発明を実施したデジタルカメラ２には、撮像部３、電源ボタン４、レリーズボタン５、モード切換スイッチ６等が設けられている。デジタルカメラ２には、撮影を行う撮影モードと、撮影した画像を再生表示する再生モードとが設けられており、モード切換スイッチ６の操作により、デジタルカメラ２のモードが、撮影モードと再生モードとで切り換わる。
【００１６】
デジタルカメラ２には、画像が表示されるＬＣＤ８が設けられている。また、デジタルカメラ２には、メモリカード９が着脱自在に挿入される。
【００１７】
撮像部３は、撮影レンズ１１、ＣＣＤ１２、ＣＤＳ１３、ＡＭＰ１４、Ａ／Ｄ変換器１５から構成されている。撮影レンズ１１の背後に、撮影レンズ１１を透過した被写体光が撮像されるＣＣＤ１２が配置されている。このＣＣＤ１２には、ＣＰＵ２０によって制御されるタイミングジェネレータ１９からタイミング信号（クロック信号）が入力される。ＣＣＤ１２から出力された信号は、ＣＤＳ１３に入力され、ＣＣＤ１２の各セルの蓄積電荷量に正確に対応したＲ、Ｇ、Ｂの画像データとして出力される。ＣＤＳ１３から出力された画像データは、ＡＭＰ１４で増幅され、Ａ／Ｄ変換器１５でデジタルデータ（ＲＡＷ画像データ）に変換される。
【００１８】
画像入力コントローラ１８は、データバス２１を介してＣＰＵ２０に接続されており、ＣＰＵ２０の命令によってＣＣＤ１２，ＣＤＳ１３，ＡＭＰ１４，Ａ／Ｄ変換器１５を制御する。画像入力コントローラ１８は、Ａ／Ｄ変換器１５から出力されたＲＡＷ画像データ（撮影画像データ）を揮発性のバッファメモリ２２に書き込む。
【００１９】
画像信号処理回路２３は、バッファメモリ２２に記憶されたＲＡＷ画像データに対して、例えば階調変換、色変換、画像の超低周波濃度成分の階調を圧縮するハイパートーン処理、粒状を抑制しながらシャープネスを強調するハイパーシャープネス処理等の画像補正処理と、画素変換処理とを施す。
【００２０】
画像信号処理回路２３で信号処理されて得られた本画像データは、バッファメモリ２２に一時的に記憶され、バッファメモリ２２から縮小処理部２４と画像連結処理部２５とに送られる。縮小処理部２４は、入力された本画像データを縮小処理してサムネイル画像データを生成する。このサムネイル画像データは、バックアップ用画像データとして、不揮発性のバックアップメモリ２６に記憶された後、画像連結処理部２５に送られる。
【００２１】
画像連結処理部２５は、入力された本画像データとサムネイル画像データとを連結して連結画像ファイルを生成する。この連結画像ファイルは、メモリコントローラ２７によって駆動制御されるデータリーダによりメモリカード９に記憶される。
【００２２】
ビデオメモリ２９は、ＬＣＤ８をビューファインダとして使用する際に、解像度の低い画像データが一時的に記憶される。ビデオメモリ２９に記憶された画像データは、データバス２１を介してＬＣＤドライバ３０に送られ、ＬＣＤ８に表示される。
【００２３】
再生モードでは、メモリカード９に記憶された画像データをＬＣＤ８に再生する。再生モードには、通常再生モードと一覧再生モードとが設けられている。通常再生モードは、ＬＣＤ８に１個の画像データを表示するものであり、連結画像ファイル内の本画像データが表示される。一覧再生モードは、ＬＣＤ８に複数の画像データを表示するものであり、連結画像ファイル内のサムネイル画像データが表示される。
【００２４】
次に、デジタルカメラ２の作用について、図２のフローチャートを用いて説明を行う。撮影モードで撮影を行うと（ステップ（以下、Ｓ）１）、撮影したＲＡＷ画像データは、バッファメモリ２２に一時的に記憶される（Ｓ２）。画像信号処理回路２３で、ＲＡＷ画像データに対して画像補正処理及び画素変換処理を施すと（Ｓ３でＹ）、得られた本画像データは、バッファメモリ２２に一時的に記憶される（Ｓ４）。そして、本画像データは、縮小処理部２４と画像連結処理部２５とに送られる（Ｓ５）。
【００２５】
縮小処理部２４は、入力された本画像データを縮小処理してサムネイル画像データを生成する（Ｓ６）。このサムネイル画像データは、バックアップ用画像データとしてバックアップメモリ２６に記憶された（Ｓ７）後、画像連結処理部２５に送られる（Ｓ８）。
【００２６】
画像連結処理部２５で、本画像データとサムネイル画像データとを連結して連結画像ファイルを生成すると（Ｓ９でＹ）、連結画像ファイルは、メモリカード９に記憶される（Ｓ１０）。
【００２７】
このように、サムネイル画像データを、バックアップ用画像データとしてバックアップメモリ２６に記憶した後、画像連結処理部２５で本画像データとサムネイル画像データとを連結し、連結画像ファイルをメモリカード９に記憶するから、メモリカードに連結画像ファイルを記憶した後に、連結画像ファイルをバックアップ用画像データとしてバックアップメモリに記憶するものに比べて、データ記憶に要する時間を短縮することができる。
【００２８】
［第２実施形態］
図３〜図５に第２の実施形態を示す。なお、第１実施形態のものと同様の構成部材には同一の符号を付し、その詳細な説明を省略する。
【００２９】
図３及び図４に示すように、デジタルカメラ４０は、カメラ本体４１の上面に、電源ボタン４、レリーズボタン５、モード切換スイッチ６が設けられている。カメラ本体４１の後面には、ＬＣＤ８が設けられている。カメラ本体４１の内部には、カメラ本体４１の姿勢を検出する姿勢検出装置４２が設けられている。
【００３０】
Ａ／Ｄ変換器１５から出力されたＲＡＷ画像データは、画像信号処理回路２３で画像補正処理及び画素変換処理が施されて本画像データＤとなる。画像信号処理回路２３は、本画像データＤにタグＴを付加して、画像ファイルＦを生成する。
【００３１】
姿勢検出装置４２は、円弧状の筒、この筒内に封入された水銀、及び、筒内の中央部及び両端部の３箇所に配置された電極を備えている。そして、筒内の水銀が３箇所の電極のうちのいずれを短絡させたかを検出することにより、カメラ本体４１の姿勢を検出する。
【００３２】
ＣＰＵ２０は、レリーズボタン５が押圧されたことに応答して、姿勢検出装置４２に姿勢検出信号を出力する。姿勢検出装置４２は、姿勢検出信号が入力されたことに応答して、カメラ本体４１の姿勢検出を行う。姿勢検出装置４２は、検出姿勢データを画像信号処理回路２３に送る。画像信号処理回路２３は、タグＴに検出姿勢データを記録する。本実施形態では、画像信号処理回路２３は、本画像データＤに、姿勢検出装置４２で検出された検出姿勢データを付加して画像ファイルＦを生成する画像ファイル生成手段としても機能する。
【００３３】
姿勢検出装置４２は、図３（Ａ）に示すようにカメラ本体４１が横長な姿勢のときには、横長姿勢状態を検出し、これが基準姿勢となる。姿勢検出装置４２は、カメラ本体４１が基準姿勢からＡ方向に何度回転しているかを検出する。図３（Ａ）に示す基準姿勢で撮影された本画像データＤ１には、タグＴ１が付加され、画像ファイルＦ１が生成される。図３（Ｂ）に示すように、タグＴ１には、検出姿勢データとして「０°」が記録される。
【００３４】
図３（Ｃ）に示すようにレリーズボタン５が右方を向き、カメラ本体４１が縦長な姿勢のときには、姿勢検出装置４２は、回転角度＝９０°を検出する。図３（Ｃ）に示す姿勢で撮影された本画像データＤ２には、タグＴ２が付加され、画像ファイルＦ２が生成される。図３（Ｄ）に示すように、タグＴ２には、検出姿勢データとして「９０°」が記録される。
【００３５】
図４に示すように、デジタルカメラ４０には、画像回転処理部４５が設けられている。画像信号処理回路２３で生成された画像ファイルＦは、バックアップ用画像データとしてバックアップメモリ２６に記憶された後、画像回転処理部４５に送られる。画像回転処理部４５は、タグＴに記録された検出姿勢データに基づいて、本画像データＤの回転補正処理を行う。
【００３６】
次に、デジタルカメラ４０の作用について、図５のフローチャートを用いて説明を行う。撮影モードでレリーズボタン５を操作して撮影を行うと（ステップ１０１）、撮影したＲＡＷ画像データはバッファメモリ２２に一時的に記憶され（Ｓ１０２）、姿勢検出装置４２により、撮影時のカメラ本体４１の姿勢が検出される（Ｓ１０３）。画像信号処理回路２３は、ＲＡＷ画像データに対して画像補正処理及び画素変換処理を施して本画像データＤとした（Ｓ１０４でＹ）後、本画像データＤに対してタグＴを付加して画像ファイルＦを生成する（Ｓ１０５）。次に、画像信号処理回路２３は、タグＴに、姿勢検出装置４２で検出された検出姿勢データを記録する（Ｓ１０６）。画像ファイルＦは、バックアップ用画像データとしてバックアップメモリ２６に記憶された（Ｓ１０７）後、画像回転処理部４５に送られる（Ｓ１０８）。
【００３７】
画像回転処理部４５は、タグＴに記録された検出姿勢データが「０°」（基準姿勢）であるか否かを判定する（Ｓ１０９）。図３（Ｂ）に示すように、タグＴ１に記録された検出姿勢データが「０°」であると判定された場合（Ｓ１０９でＹ）には、本画像データＤ１は回転されずにメモリカード９に記憶される（Ｓ１１０）。
【００３８】
一方、図３（Ｄ）に示すように、タグＴに記録された検出姿勢データが「０°」ではないと判定された場合（Ｓ１０９でＮ）には、画像回転処理部４５は、タグＴ２に記録された回転角度データに基づいて、本画像データＤ２の回転補正処理を行う（Ｓ１１１）。図３（Ｄ）に示す画像ファイルＦ２の場合には、本画像データＤ２をＡ方向に９０°回転する。画像回転処理部４５で回転処理された本画像データＤ２は、メモリカード９に記憶される（Ｓ１１０）。
【００３９】
［第３実施形態］
図６及び図７に第３の実施形態を示す。なお、第１実施形態のものと同様の構成部材には同一の符号を付し、その詳細な説明を省略する。
【００４０】
デジタルカメラ５０には、画像データを圧縮する画像圧縮処理部５１が設けられている。Ａ／Ｄ変換器１５から出力されたＲＡＷ画像データは、バックアップ用画像データとしてバックアップメモリ２６に記憶された後、画像信号処理回路２３に送られる。画像信号処理回路２３は、ＲＡＷ画像データに対して画像補正処理及び画素変換処理を施す。
【００４１】
画像信号処理回路２３で信号処理されて得られた本画像データは、バッファメモリ２２に一時的に記憶され、画像圧縮処理部５１に送られる。画像圧縮処理部５１は、本画像データをＪＰＥＧ画像データに圧縮処理する。ＪＰＥＧ画像データは、メモリコントローラ２７によって駆動制御されるデータリーダによりメモリカード９に記憶される。
【００４２】
次に、デジタルカメラ５０の作用について、図７のフローチャートを用いて説明を行う。撮影モードで撮影を行うと（Ｓ２０１）、撮影したＲＡＷ画像データは、バックアップ用画像データとしてバックアップメモリ２６に記憶された（Ｓ２０２）後、画像信号処理回路２３に送られる（Ｓ２０３）。画像信号処理回路２３で、ＲＡＷ画像データに対して画像補正処理及び画素変換処理を施すと（Ｓ２０４でＹ）、得られた本画像データは、バッファメモリ２２に一時的に記憶される（Ｓ２０５）。そして、本画像データは、画像圧縮処理部５１に送られる（Ｓ２０６）。
【００４３】
画像圧縮処理部５１で、本画像データをＪＰＥＧ画像データに圧縮処理する（Ｓ２０７でＹ）と、ＪＰＥＧ画像データは、メモリコントローラ２７によって駆動制御されるデータリーダによりメモリカード９に記憶される（Ｓ２０８）。
【００４４】
なお、デジタルカメラ５０に、手振れを検出するジャイロセンサを設けるとともに、画像圧縮処理部５１に代えて、ジャイロセンサの検出結果に基づいて本画像データを手振れ補正処理する手振れ補正処理部を設け、バッファメモリ２２に一時的に記憶された本画像データに、手振れ補正処理部で手振れ補正処理を行い、手振れ補正画像データをメモリカード９に記憶してもよい。
【００４５】
また、デジタルカメラ５０に、画像圧縮処理部５１に代えて、本画像データに赤目補正処理を行う赤目補正処理部を設け、バッファメモリ２２に一時的に記憶された本画像データに、赤目補正処理部で赤目補正処理を行い、赤目補正画像データをメモリカード９に記憶してもよい。
【００４６】
また、Ａ／Ｄ変換器１５から出力されるＲＡＷ画像データに代えて、ＣＣＤ１２から出力されるＣＣＤＲＡＷ画像データを、バックアップ用画像データとしてバックアップメモリ２６に記憶してもよい。
【００４７】
さらに、上記実施形態では、連結画像ファイル及び画像データをメモリカード９に記憶したが、ＲＡＭ等に記憶してもよい。
【図面の簡単な説明】
【００４８】
【図１】本発明を実施したデジタルカメラ内部の電気的構成を示すブロック図である。
【図２】撮影時の処理の流れを示すフローチャートである。
【図３】画像回転処理部を設けた実施形態のデジタルカメラの背面図及び画像ファイルを示す説明図である。
【図４】図３に示す実施形態のデジタルカメラ内部の電気的構成を示すブロック図である。
【図５】図３に示す実施形態の撮影時の処理の流れを示すフローチャートである。
【図６】圧縮処理部を設けた実施形態のデジタルカメラ内部の電気的構成を示すブロック図である。
【図７】図６に示す実施形態の撮影時の処理の流れを示すフローチャートである。
【符号の説明】
【００４９】
２，４０，５０  デジタルカメラ（撮影装置）
３  撮像部（撮像手段）
９  メモリカード（メイン記憶手段）
２４  縮小処理部（サムネイル画像データ生成手段）
２５  画像連結処理部（データ処理手段）
２６  バックアップメモリ（バックアップ用記憶手段）
４１  カメラ本体（装置本体）
４２  姿勢検出装置（姿勢検出手段）
４５  画像回転処理部（データ処理手段）
５１  画像圧縮処理部（データ処理手段）
【図１】
2009225212.tif 000003
【図２】
2009225212.tif 000004
【図３】
2009225212.tif 000005
【図４】
2009225212.tif 000006
【図５】
2009225212.tif 000007
【図６】
2009225212.tif 000008
【図７】
2009225212.tif 000009